(57)【特許請求の範囲】
【請求項１】
原稿の画像を読み取る画像読取部と、
操作パネルと、
画像形成部と、
プロセッサーと、
記憶部と、
を備え、
前記記憶部は、予め登録された所定の画像形成条件を記憶し、
前記プロセッサーは、
（ａ）前記操作パネルを介して画像形成の実行指示を受け付けると、
（ｂ）前記画像読取部に原稿の画像を読み取らせ、
（ｃ）前記画像読取部により読み取られた前記画像のなかに再印刷に関するコード画像が検出されたか否かを判断し、
（ｄ）前記画像読取部により読み取られた前記画像のなかに前記再印刷に関するコード画像が検出されなかった場合に、
（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させ、
（ｅ）前記画像読取部により読み取られた前記画像のなかに前記再印刷に関するコード画像が検出された場合に、
（ｅ１）前記予め登録された所定の画像形成条件を強制的に適用せずに、前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させる
ことを特徴とする画像形成装置。
【請求項２】
原稿の画像を読み取る画像読取部と、
操作パネルと、
画像形成部と、
プロセッサーと、
記憶部と、
を備え、
前記記憶部は、予め登録された所定の画像形成条件を記憶し、
前記プロセッサーは、
（ａ）前記操作パネルを介して画像形成の実行指示を受け付けると、
（ｂ）前記画像読取部に原稿の画像を読み取らせ、
（ｃ）前記画像読取部により読み取られた前記画像のなかに再印刷に関するコード画像が検出されたか否かを判断し、
（ｄ）前記画像読取部により読み取られた前記画像のなかに前記再印刷に関するコード画像が検出されなかった場合に、
（ｄ１）画像形成条件の変更を受け付けずに、前記予め登録された所定の画像形成条件に従って、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させ、
（ｅ）前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、
（ｅ１）前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させる
ことを特徴とする画像形成装置。
【請求項３】
原稿の画像を読み取る画像読取部と、
操作パネルと、
画像形成部と、
プロセッサーと、
記憶部と、
を備え、
前記記憶部は、予め登録された所定の画像形成条件を記憶し、
前記プロセッサーは、
（ａ）前記操作パネルを介して画像形成の実行指示を受け付けると、
（ｂ）前記画像読取部に原稿の画像を読み取らせ、
（ｃ）前記画像読取部により読み取られた前記画像のなかに再印刷に関するコード画像が検出されたか否かを判断し、
（ｄ）前記画像読取部により読み取られた前記画像のなかに前記再印刷に関するコード画像が検出されなかった場合に、
（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させ、
（ｅ）前記画像読取部により読み取られた前記画像のなかに前記再印刷に関するコード画像が検出された場合に、
（ｅ１）前記予め登録された所定の画像形成条件を強制的に適用せずに、前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させる
ことを特徴とする画像形成システム。
【請求項４】
原稿の画像を読み取る画像読取部と、
操作パネルと、
画像形成部と、
プロセッサーと、
記憶部と、
を備え、
前記記憶部は、予め登録された所定の画像形成条件を記憶し、
前記プロセッサーは、
（ａ）前記操作パネルを介して画像形成の実行指示を受け付けると、
（ｂ）前記画像読取部に原稿の画像を読み取らせ、
（ｃ）前記画像読取部により読み取られた前記画像のなかに再印刷に関するコード画像が検出されたか否かを判断し、
（ｄ）前記画像読取部により読み取られた前記画像のなかに前記再印刷に関するコード画像が検出されなかった場合に、
（ｄ１）画像形成条件の変更を受け付けずに、前記予め登録された所定の画像形成条件に従って、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させ、
（ｅ）前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、
（ｅ１）前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させる
ことを特徴とする画像形成システム。
【請求項５】
原稿の画像を読み取る画像読取部と、
操作パネルと、
画像形成部と、
プロセッサーと、
記憶部と、を備える画像形成装置の制御プログラムであって、
前記記憶部は、予め登録された所定の画像形成条件を記憶し、
前記制御プログラムは、
（ａ）前記操作パネルを介して画像形成の実行指示を受け付けるステップと、
（ｂ）前記実行指示を受け付けた場合、前記画像読取部に原稿の画像を読み取らせるステップと、
（ｃ）前記画像読取部により読み取られた前記画像のなかに再印刷に関するコード画像が検出されたか否かを判断するステップと、
（ｄ）前記（ｃ）において前記画像読取部により読み取られた前記画像のなかに前記再印刷に関するコード画像が検出されなかった場合に、
（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させるステップと、
（ｅ）前記（ｃ）において前記画像読取部により読み取られた前記画像のなかに前記再印刷に関するコード画像が検出された場合に、
（ｅ１）前記予め登録された所定の画像形成条件を強制的に適用せずに、前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させるステップと、
を有する処理を前記プロセッサーに実行させる画像形成装置の制御プログラム。
【請求項６】
原稿の画像を読み取る画像読取部と、
操作パネルと、
画像形成部と、
プロセッサーと、
記憶部と、を備える画像形成装置の制御プログラムであって、
前記記憶部は、予め登録された所定の画像形成条件を記憶し、
前記制御プログラムは、
（ａ）前記操作パネルを介して画像形成の実行指示を受け付けるステップと、
（ｂ）前記実行指示を受け付けた場合、前記画像読取部に原稿の画像を読み取らせるステップと、
（ｃ）前記画像読取部により読み取られた前記画像のなかに再印刷に関するコード画像が検出されたか否かを判断するステップと、
（ｄ）前記（ｃ）において前記画像読取部により読み取られた前記画像のなかに前記再印刷に関するコード画像が検出されなかった場合に、
（ｄ１）画像形成条件の変更を受け付けずに、前記予め登録された所定の画像形成条件に従って、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させるステップと、
（ｅ）前記（ｃ）において前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、
（ｅ１）前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させるステップと、
を有する処理を前記プロセッサーに実行させる画像形成装置の制御プログラム。
【請求項７】
原稿の画像を読み取る画像読取部と、
操作パネルと、
画像形成部と、
プロセッサーと、
記憶部と、を備える画像形成装置の制御方法であって、
前記記憶部は、予め登録された所定の画像形成条件を記憶し、
前記制御方法は、
（ａ）前記操作パネルを介して画像形成の実行指示を受け付けるステップと、
（ｂ）前記実行指示を受け付けた場合、前記画像読取部に原稿の画像を読み取らせるステップと、
（ｃ）前記画像読取部により読み取られた前記画像のなかに再印刷に関するコード画像が検出されたか否かを判断するステップと、
（ｄ）前記（ｃ）において前記画像読取部により読み取られた前記画像のなかに前記再印刷に関するコード画像が検出されなかった場合に、
（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させるステップと、
（ｅ）前記（ｃ）において前記画像読取部により読み取られた前記画像のなかに前記再印刷に関するコード画像が検出された場合に、
（ｅ１）前記予め登録された所定の画像形成条件を強制的に適用せずに、前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させるステップと、
を有することを特徴とする画像形成装置の制御方法。
【請求項８】
原稿の画像を読み取る画像読取部と、
操作パネルと、
画像形成部と、
プロセッサーと、
記憶部と、を備える画像形成装置の制御方法であって、
前記記憶部は、予め登録された所定の画像形成条件を記憶し、
前記制御方法は、
（ａ）前記操作パネルを介して画像形成の実行指示を受け付けるステップと、
（ｂ）前記実行指示を受け付けた場合、前記画像読取部に原稿の画像を読み取らせるステップと、
（ｃ）前記画像読取部により読み取られた前記画像のなかに再印刷に関するコード画像が検出されたか否かを判断するステップと、
（ｄ）前記（ｃ）において前記画像読取部により読み取られた前記画像のなかに前記再印刷に関するコード画像が検出されなかった場合に、
（ｄ１）画像形成条件の変更を受け付けずに、前記予め登録された所定の画像形成条件に従って、前記画像読取部により読み取られた前記画像の画像情報に基づいて、前記画像形成部に画像を形成させ、
（ｄ２）前記（ｄ１）において画像形成される前記画像の前記画像情報を前記記憶部に記憶させるステップと、
（ｅ）前記（ｃ）において前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、
（ｅ１）前記操作パネルを介して画像形成条件の変更を受け付け、
（ｅ２）変更された前記画像形成条件に従って、検出された前記再印刷に関するコード画像に対応して前記記憶部に記憶された画像情報に基づいて、前記画像形成部に画像形成させるステップと、
を有することを特徴とする画像形成装置の制御方法。
【発明の詳細な説明】
【技術分野】
【０００１】
本発明は、予め登録された画像形成条件を適用して画像を形成することができる画像形成装置、画像形成システム、画像形成装置の制御プログラム、および画像形成装置の制御方法に関する。
【背景技術】
【０００２】
近年、環境保護やコスト削減の見地から、プリンタ等の画像形成装置の印刷条件を制限し、トナーや印刷用紙の消費量を削減している企業が増加している。このような企業では、たとえば、モノクロ印刷、トナーセーブ印刷、および両面印刷等の印刷条件がシステム管理者により登録され、ユーザは、システム管理者により登録された印刷条件でのみ印刷が許可される。
【０００３】
しかしながら、システム管理者により登録された印刷条件が適用され印刷が行われる環境下では、ユーザが所望する印刷結果が得られない場合がある。たとえば、システム管理者によるトナーセーブ設定によって、特定の色や表の罫線が見づらくなり、印刷物を配布された者は、印刷物の内容を判別することができない。
【０００４】
所望する印刷結果が得られない場合、ユーザは、たとえば、システム管理者に依頼して印刷条件に関する制限を一時的に解除してもらい、それから、印刷条件を変更して再印刷を行うことになり不便である。したがって、システム管理者により登録された印刷条件が適用され印刷が行われる環境下において、ユーザが所望する印刷結果が得られない場合に、印刷条件を変更して再印刷を行うユーザの利便性を向上することが望まれている。
【０００５】
なお、再印刷に関する技術として、実行済みの印刷ジョブを記憶装置に記憶させ、必要に応じて、記憶装置に記憶されている印刷ジョブを読み出して印刷を行う技術が知られている（特許文献１，２参照）。この技術によれば、ユーザは、再度、ＰＣ（Ｐｅｒｓｏｎａｌ  Ｃｏｍｐｕｔｅｒ）側でファイルを開いて印刷条件を設定する必要がなくなる。しかしながら、この技術は、同一の印刷条件で再印刷を行うものであり、印刷条件を変更して再印刷を行うユーザの利便性を向上することはできない。
【先行技術文献】
【特許文献】
【０００６】
【特許文献１】特開２００７−１１５７８号公報
【特許文献２】特開２００８−２３７３６号公報
【発明の概要】
【発明が解決しようとする課題】
【０００７】
本発明は、上述した課題に鑑みてなされたものである。したがって、本発明の目的は、予め登録された画像形成条件を適用して用紙上に形成された画像について、画像形成条件を変更して再度の画像形成を行う際のユーザの利便性を向上させることのできる画像形成装置、画像形成システム、画像形成装置の制御プログラム、および画像形成装置の制御方法を提供することである。
【課題を解決するための手段】
【０００８】
本発明の上記目的は、下記の手段によって達成される。
【０００９】
（１）原稿の画像を読み取る画像読取部と、操作パネルと、画像形成部と、プロセッサーと、記憶部と、を備え、前記記憶部は、予め登録された所定の画像形成条件を記憶し、前記プロセッサーは、（ａ）前記操作パネルを介して画像形成の実行指示を受け付けると、（ｂ）前記画像読取部に原稿の画像を読み取らせ、（ｃ）前記画像読取部により読み取られた前記画像のなかに再印刷に関するコード画像が検出されたか否かを判断し、（ｄ）前記画像読取部により読み取られた前記画像のなかに前記再印刷に関するコード画像が検出されなかった場合に、（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させ、（ｅ）前記画像読取部により読み取られた前記画像のなかに前記再印刷に関するコード画像が検出された場合に、（ｅ１）前記予め登録された所定の画像形成条件を強制的に適用せずに、前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させることを特徴とする画像形成装置。
【００１０】
（２）原稿の画像を読み取る画像読取部と、操作パネルと、画像形成部と、プロセッサーと、記憶部と、を備え、前記記憶部は、予め登録された所定の画像形成条件を記憶し、前記プロセッサーは、（ａ）前記操作パネルを介して画像形成の実行指示を受け付けると、（ｂ）前記画像読取部に原稿の画像を読み取らせ、（ｃ）前記画像読取部により読み取られた前記画像のなかに再印刷に関するコード画像が検出されたか否かを判断し、（ｄ）前記画像読取部により読み取られた前記画像のなかに前記再印刷に関するコード画像が検出されなかった場合に、（ｄ１）画像形成条件の変更を受け付けずに、前記予め登録された所定の画像形成条件に従って、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させ、（ｅ）前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、（ｅ１）前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させることを特徴とする画像形成装置。
【００１１】
（３）原稿の画像を読み取る画像読取部と、操作パネルと、画像形成部と、プロセッサーと、記憶部と、を備え、前記記憶部は、予め登録された所定の画像形成条件を記憶し、前記プロセッサーは、（ａ）前記操作パネルを介して画像形成の実行指示を受け付けると、（ｂ）前記画像読取部に原稿の画像を読み取らせ、（ｃ）前記画像読取部により読み取られた前記画像のなかに再印刷に関するコード画像が検出されたか否かを判断し、（ｄ）前記画像読取部により読み取られた前記画像のなかに前記再印刷に関するコード画像が検出されなかった場合に、（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させ、（ｅ）前記画像読取部により読み取られた前記画像のなかに前記再印刷に関するコード画像が検出された場合に、（ｅ１）前記予め登録された所定の画像形成条件を強制的に適用せずに、前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させることを特徴とする画像形成システム。
【００１２】
（４）原稿の画像を読み取る画像読取部と、操作パネルと、画像形成部と、プロセッサーと、記憶部と、を備え、前記記憶部は、予め登録された所定の画像形成条件を記憶し、前記プロセッサーは、（ａ）前記操作パネルを介して画像形成の実行指示を受け付けると、（ｂ）前記画像読取部に原稿の画像を読み取らせ、（ｃ）前記画像読取部により読み取られた前記画像のなかに再印刷に関するコード画像が検出されたか否かを判断し、（ｄ）前記画像読取部により読み取られた前記画像のなかに前記再印刷に関するコード画像が検出されなかった場合に、（ｄ１）画像形成条件の変更を受け付けずに、前記予め登録された所定の画像形成条件に従って、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させ、（ｅ）前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、（ｅ１）前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させることを特徴とする画像形成システム。
【００１３】
（５）原稿の画像を読み取る画像読取部と、操作パネルと、画像形成部と、プロセッサーと、記憶部と、を備える画像形成装置の制御プログラムであって、前記記憶部は、予め登録された所定の画像形成条件を記憶し、前記制御プログラムは、（ａ）前記操作パネルを介して画像形成の実行指示を受け付けるステップと、（ｂ）前記実行指示を受け付けた場合、前記画像読取部に原稿の画像を読み取らせるステップと、（ｃ）前記画像読取部により読み取られた前記画像のなかに再印刷に関するコード画像が検出されたか否かを判断するステップと、（ｄ）前記（ｃ）において前記画像読取部により読み取られた前記画像のなかに前記再印刷に関するコード画像が検出されなかった場合に、（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させるステップと、（ｅ）前記（ｃ）において前記画像読取部により読み取られた前記画像のなかに前記再印刷に関するコード画像が検出された場合に、（ｅ１）前記予め登録された所定の画像形成条件を強制的に適用せずに、前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させるステップと、を有する処理を前記プロセッサーに実行させる画像形成装置の制御プログラム。
【００１４】
（６）原稿の画像を読み取る画像読取部と、操作パネルと、画像形成部と、プロセッサーと、記憶部と、を備える画像形成装置の制御プログラムであって、前記記憶部は、予め登録された所定の画像形成条件を記憶し、前記制御プログラムは、（ａ）前記操作パネルを介して画像形成の実行指示を受け付けるステップと、（ｂ）前記実行指示を受け付けた場合、前記画像読取部に原稿の画像を読み取らせるステップと、（ｃ）前記画像読取部により読み取られた前記画像のなかに再印刷に関するコード画像が検出されたか否かを判断するステップと、（ｄ）前記（ｃ）において前記画像読取部により読み取られた前記画像のなかに前記再印刷に関するコード画像が検出されなかった場合に、（ｄ１）画像形成条件の変更を受け付けずに、前記予め登録された所定の画像形成条件に従って、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させるステップと、（ｅ）前記（ｃ）において前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、（ｅ１）前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させるステップと、を有する処理を前記プロセッサーに実行させる画像形成装置の制御プログラム。
【００１５】
（７）原稿の画像を読み取る画像読取部と、操作パネルと、画像形成部と、プロセッサーと、記憶部と、を備える画像形成装置の制御方法であって、前記記憶部は、予め登録された所定の画像形成条件を記憶し、前記制御方法は、（ａ）前記操作パネルを介して画像形成の実行指示を受け付けるステップと、（ｂ）前記実行指示を受け付けた場合、前記画像読取部に原稿の画像を読み取らせるステップと、（ｃ）前記画像読取部により読み取られた前記画像のなかに再印刷に関するコード画像が検出されたか否かを判断するステップと、（ｄ）前記（ｃ）において前記画像読取部により読み取られた前記画像のなかに前記再印刷に関するコード画像が検出されなかった場合に、（ｄ１）画像形成条件の変更を受け付けずに、前記予め登録された所定の画像形成条件を強制的に適用して、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させるステップと、（ｅ）前記（ｃ）において前記画像読取部により読み取られた前記画像のなかに前記再印刷に関するコード画像が検出された場合に、（ｅ１）前記予め登録された所定の画像形成条件を強制的に適用せずに、前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させるステップと、を有することを特徴とする画像形成装置の制御方法。
【００１６】
（８）原稿の画像を読み取る画像読取部と、操作パネルと、画像形成部と、プロセッサーと、記憶部と、を備える画像形成装置の制御方法であって、前記記憶部は、予め登録された所定の画像形成条件を記憶し、前記制御方法は、（ａ）前記操作パネルを介して画像形成の実行指示を受け付けるステップと、（ｂ）前記実行指示を受け付けた場合、前記画像読取部に原稿の画像を読み取らせるステップと、（ｃ）前記画像読取部により読み取られた前記画像のなかに再印刷に関するコード画像が検出されたか否かを判断するステップと、（ｄ）前記（ｃ）において前記画像読取部により読み取られた前記画像のなかに前記再印刷に関するコード画像が検出されなかった場合に、（ｄ１）画像形成条件の変更を受け付けずに、前記予め登録された所定の画像形成条件に従って、前記画像読取部により読み取られた前記画像の画像情報に基づいて、前記画像形成部に画像を形成させ、（ｄ２）前記（ｄ１）において画像形成される前記画像の前記画像情報を前記記憶部に記憶させるステップと、（ｅ）前記（ｃ）において前記画像読取部により読み取られた前記画像のなかに前記再印刷に関するコード画像が検出された場合に、前記記憶部から前記所定の画像形成条件を取得し、取得された前記所定の画像形成条件を前記操作パネルに表示させ、（ｅ１）前記操作パネルを介して画像形成条件の変更を受け付け、（ｅ２）変更された前記画像形成条件に従って、検出された前記再印刷に関するコード画像に対応して前記記憶部に記憶された画像情報に基づいて、前記画像形成部に画像形成させるステップと、を有することを特徴とする画像形成装置の制御方法。
【発明の効果】
【００１７】
本発明によれば、予め登録された画像形成条件が表示部に表示され、ユーザが画像形成条件を変更することができるため、予め登録された画像形成条件を適用して用紙上に形成された画像について、画像形成条件を変更して再度の画像形成を行う際のユーザの利便性が向上される。
【図面の簡単な説明】
【００１８】
【図１】本発明の一実施形態にかかる画像形成システムの全体構成を示すブロック図である。
【図２】図１に示されるＰＣの構成を示すブロック図である。
【図３】図１に示されるＭＦＰの構成を示すブロック図である。
【図４】ＭＦＰにおいて実行される印刷条件登録処理の手順を示すフローチャートである。
【図５】ＭＦＰの操作パネルに表示される印刷設定選択画面の一例を示す図である。
【図６】ＭＦＰにおいて実行される印刷処理の手順を示すフローチャートである。
【図７】図６のステップＳ２０２に示されるジョブ保存処理の手順を示すフローチャートである。
【図８】ジョブ管理リストに保存されるジョブ管理情報の一例を示す図である。
【図９】図６のステップＳ２０６に示される画像データ生成処理の手順を示すフローチャートである。
【図１０】ＭＦＰにより印刷される画像の一例を示す図である。
【図１１】再印刷指示コード画像に含まれる再印刷指示情報の一例を示す図である。
【図１２】ＭＦＰにおいて実行される再印刷処理の手順を示すフローチャートである。
【図１３】図１２に後続するフローチャートである。
【図１４】図１３に後続するフローチャートである。
【図１５】ＭＦＰにおいて実行されるジョブ削除処理の手順を示すフローチャートである。
【発明を実施するための形態】
【００１９】
以下、図面を参照して、本発明の実施形態を詳細に説明する。
【００２０】
図１は、本発明の一実施形態にかかる画像形成システムの全体構成を示すブロック図である。
【００２１】
本実施形態の画像形成システムは、印刷指示装置としてのＰＣ１００Ａ，１００Ｂと、画像形成装置としてのＭＦＰ（Ｍｕｌｔｉｐｌｅ  Ｆｕｎｃｔｉｏｎ  Ｐｅｒｉｐｈｅｒａｌ）２００Ａ，２００Ｂとを備える。ＰＣ１００Ａ，１００ＢおよびＭＦＰ２００Ａ，２００Ｂは、ネットワーク３００を介して相互に通信可能に接続されている。
【００２２】
ネットワーク３００は、たとえば、イーサネット（登録商標）、トークンリング、およびＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピュータやネットワーク機器同士を接続したＬＡＮ（Ｌｏｃａｌ  Ａｒｅａ  Ｎｅｔｗｏｒｋ）、またはＬＡＮ同士を専用線で接続したＷＡＮ（Ｗｉｄｅ  Ａｒｅａ  Ｎｅｔｗｏｒｋ）等の各種のネットワークからなる。なお、ネットワーク３００に接続される機器の種類および台数は、図１に示される例に限定されない。
【００２３】
図２は、図１に示されるＰＣの構成を示すブロック図である。ＰＣ１００Ａ，１００Ｂは、相互に同様の構成であるため、以下、ＰＣ１００Ａを代表として用いて説明する。
【００２４】
ＰＣ１００Ａは、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスク１０４、ディスプレイ１０５、入力装置１０６、および通信インタフェース１０７を含み、これらは信号をやり取りするためのバス１０８を介して相互に接続されている。
【００２５】
ＣＰＵ１０１は、プログラムにしたがって上記各部の制御や各種の演算処理を行う。ＲＯＭ１０２は、各種プログラムや各種データを格納する。ＲＡＭ１０３は、作業領域として一時的にプログラムやデータを記憶する。
【００２６】
ハードディスク１０４は、オペレーティングシステム（ＯＳ）を含む各種プログラムや、各種データを格納する。また、ハードディスク１０４には、文書ファイルを作成するための文書ファイル作成アプリケーションと、文書ファイルをＭＦＰ２００Ａ，２００Ｂが解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。
【００２７】
ディスプレイ１０５は、たとえば、液晶ディスプレイであり、各種の情報を表示する。入力装置１０６は、マウス等のポインティングデバイス、およびキーボードを含み、各種の入力を行うために使用される。通信インタフェース１０７は、ネットワーク３００を介し他の機器と通信するためのインタフェースであり、イーサネット（登録商標）、トークンリング、ＦＤＤＩ等の規格が用いられる。
【００２８】
図３は、図１に示されるＭＦＰの構成を示すブロック図である。ＭＦＰ２００Ａ，２００Ｂは、相互に同様の構成であるため、以下、ＭＦＰ２００Ａを代表として用いて説明する。
【００２９】
ＭＦＰ２００Ａは、メインＣＰＵ２０１、ＲＯＭ２０２、ＲＡＭ２０３、ハードディスク２０４、操作パネル２０５、画像読取部２０６、第１画像処理回路２０７、第２画像処理回路２０８、プリントエンジン２０９、および通信インタフェース２１０を含み、これらは信号をやり取りするためのバス２１１を介して相互に接続されている。なお、ＭＦＰ２００Ａの上記各部のうち、ＰＣ１００Ａの上記各部と同様の機能を有する部分については、説明の重複を避けるためその説明を省略する。
【００３０】
メインＣＰＵ２０１は、プログラムにしたがって上記各部の制御や各種の演算処理を行う。ハードディスク２０４は、ＭＦＰ２００Ａにより実行されたジョブ（印刷ジョブおよびコピージョブ）を記憶する。また、ハードディスク２０４には、記憶されたジョブを管理するための保存ジョブ管理リストが格納されている。
【００３１】
操作パネル２０５は、タッチパネル、テンキー、スタートボタン、およびストップボタン等の要素を備えており、各種情報の表示および各種指示の入力に使用される。操作パネル２０５は、画像形成システムの管理者による印刷設定の登録、および、ユーザによる印刷設定の変更を受け付ける。
【００３２】
画像読取部２０６は、スキャナＣＰＵ２２１、ＣＣＤ（Ｃｈａｒｇｅ  Ｃｏｕｐｌｅｄ  Ｄｅｖｉｃｅｓ）イメージセンサ２２２、ＩＲ（Ｉｍａｇｅ  Ｒｅａｄｅｒ）／ＡＤＦ（Ａｕｔｏ  Ｄｏｃｕｍｅｎｔ  Ｆｅｅｄｅｒ）モータ２２３、およびモータドライバ２２４を備える。スキャナＣＰＵ２２１は、プログラムにしたがって上記各部の制御や各種の演算処理を行う。ＩＲ／ＡＤＦモータ２２３は、読み取り装置（ＩＲ）や自動原稿送り装置（ＡＤＦ）を駆動するモータであり、モータドライバ２２４は、ＩＲ／ＡＤＦモータ２２３を制御する。画像読取部２０６は、原稿台の所定の読み取り位置にセットされた原稿または自動原稿送り装置により所定の読取位置に搬送された原稿に蛍光ランプ等の光源で光を当て、その反射光をＣＣＤイメージセンサ２２２で光電変換して、その電気信号から画像データを生成する。
【００３３】
第１画像処理回路２０７は、画像読取部２０６により原稿を読み取って得られる画像データに対して画像処理を行う。また、第１画像処理回路２０７は、原稿の画像に含まれる再印刷指示コード画像６１０（図１０（Ａ））を検出する。
【００３４】
第２画像処理回路２０８は、ジョブの実行時に生成される画像データに対して画像処理を行い、画像処理後の画像データをプリントエンジン２０９へ転送する。第２画像処理回路２０８は、所定の印刷設定にしたがって画像処理を行う。
【００３５】
プリントエンジン２０９は、電子写真式プロセス等の周知の作像プロセスを用いて、第２画像処理回路２０８から転送された画像データに基づく画像を用紙等の記録媒体に形成する。
【００３６】
なお、ＰＣ１００Ａ，１００ＢおよびＭＦＰ２００Ａ，２００Ｂは、それぞれ、上記の構成要素以外の構成要素を含んでいてもよく、あるいは、上記の構成要素のうちの一部が含まれていなくてもよい。
【００３７】
以上のとおり構成される画像形成システムでは、トナーや印刷用紙の消費量を削減する見地から、ＭＦＰ２００Ａで実行される印刷処理には、画像形成システムの管理者により予め登録された印刷設定（以下、「強制印刷設定」と称する）が強制的に適用される。なお、本明細書において、「印刷設定」には、ＰＣ１００Ａ，１００Ｂから送信された印刷ジョブの実行時に適用される画像形成条件の設定のみならず、原稿の画像を複写するコピージョブの実行時に適用される画像形成条件の設定も含まれる。
【００３８】
管理者により登録された強制印刷設定を適用して印刷処理が行われる場合、ユーザが所望する印刷結果が得られない場合がある。このとき、ユーザは、ＭＦＰ２００Ａ上で印刷設定を変更して、所望する印刷結果が得られなかった画像の再印刷を行わせることができる。以下、図４〜図１５を参照して、ＭＦＰ２００Ａの動作について説明する。
【００３９】
まず、図４を参照して、強制印刷設定をＭＦＰ２００Ａに登録する処理について説明する。強制印刷設定は、画像形成システムの管理者により選択される。
【００４０】
図４は、ＭＦＰにおいて実行される印刷条件登録処理の手順を示すフローチャートである。なお、図４のフローチャートにより示されるアルゴリズムは、ＭＦＰ２００Ａのハードディスク２０４にプログラムとして記憶されており、メインＣＰＵ２０１によって実行される。
【００４１】
印刷条件登録処理では、まず、強制印刷設定の選択が受け付けられる（ステップＳ１０１）。具体的には、印刷条件を特定するための複数の設定項目について、画像形成システムの管理者による設定値の選択が受け付けられる。
【００４２】
図５は、ＭＦＰの操作パネルに表示される印刷設定選択画面の一例を示す図である。印刷設定選択画面４００は、操作パネル２０５のタッチパネルに表示される。印刷設定選択画面４００は、カラー選択設定、トナーセーブ設定、ページ分割設定、および印刷種類設定等の設定項目を含む。画像形成システムの管理者が、タッチパネル上で設定項目の設定値を選択することにより、強制印刷設定が選択される。図５では、トナーや印刷用紙の消費量を削減する見地から、カラー選択設定：「モノクロ」、トナーセーブ設定：「ＯＮ」、ページ分割設定：「２ｉｎ１」、および印刷種類設定：「両面」が選択されている。
【００４３】
続いて、強制印刷設定が登録される（ステップＳ１０２）。本実施形態では、ステップＳ１０１に示す処理で選択された強制印刷設定が、ＲＡＭ２０３に記憶される。
【００４４】
以上のとおり、図４に示されるフローチャートの処理によれば、画像形成システムの管理者によりＭＦＰ２００Ａの強制印刷設定が選択され、選択された強制印刷設定が登録される。なお、このような強制印刷設定は、ユーザの権限別に複数種類登録され、ユーザに応じて内容の異なる強制印刷設定が適用されてもよい。
【００４５】
次に、ＭＦＰ２００Ａにおいて実行される印刷処理について説明する。印刷処理では、強制印刷設定が強制的に適用され、強制印刷設定に基づく画像が用紙上に形成される。
【００４６】
図６は、ＭＦＰにおいて実行される印刷処理の手順を示すフローチャートである。なお、図６のフローチャートにより示されるアルゴリズムは、ＭＦＰ２００Ａのハードディスク２０４にプログラムとして記憶されており、メインＣＰＵ２０１によって実行される。
【００４７】
印刷処理では、まず、ジョブが受け付けられる（ステップＳ２０１）。たとえば、ＰＣ１００Ａから送信された印刷ジョブが受け付けられる。あるいは、ＭＦＰ２００Ａの画像読取部２０６に原稿がセットされ、原稿が読み取られることにより、コピージョブが受け付けられる。
【００４８】
続いて、ジョブ保存処理が実行される（ステップＳ２０２）。本実施形態では、後述する再印刷処理のために、ステップＳ２０１に示す処理で受け付けられたジョブがハードディクス２０４に保存される。このとき、ジョブＩＤおよびページＩＤ等のジョブ管理情報がジョブに付加される。
【００４９】
図７は、図６のステップＳ２０２に示されるジョブ保存処理の手順を示すフローチャートである。
【００５０】
ジョブ保存処理では、まず、ジョブＩＤおよびページＩＤが生成される（ステップＳ３０１）。本実施形態では、図６のステップＳ２０１に示す処理で受け付けられたジョブを識別するためのジョブＩＤと、ジョブのページを識別するためのページＩＤとが生成される。ページＩＤは、ジョブのページ構成が解析されることにより、ページ毎に生成される。
【００５１】
続いて、ジョブＩＤ、ページＩＤ、および日時情報が、保存ジョブ管理リストに保存される（ステップＳ３０２）。本実施形態では、ステップＳ３０１に示す処理で生成されたジョブＩＤおよびページＩＤが、ジョブの実行日時を示す日時情報とともに、ハードディスク２０４に格納されている保存ジョブ管理リストにジョブ管理情報として保存される。
【００５２】
図８は、保存ジョブ管理リストに保存されるジョブ管理情報の一例を示す図である。ジョブ管理情報５００は、ジョブを識別するためのジョブＩＤ、ジョブのページを識別するためのページＩＤ、およびジョブの実行日時を示す日時情報を含む。なお、ジョブにファイル名が含まれている場合、ジョブ管理情報５００はファイル名情報を含む。
【００５３】
続いて、ジョブが保存される（ステップＳ３０３）。本実施形態では、図６のステップＳ２０１に示す処理で受け付けられたジョブが、ハードディスク２０４に保存される。ジョブが印刷ジョブである場合には、ＰＤＬデータが保存され、ジョブがコピージョブである場合には、画像データが保存される。
【００５４】
図６のステップＳ２０２に示す処理においてジョブが保存された後、強制印刷設定が読み出される（ステップＳ２０３）。本実施形態では、ステップＳ２０１に示す処理で受け付けられたジョブに対して強制印刷設定を適用するために、図４に示すフローチャートの処理でユーザにより登録された強制印刷設定がＲＡＭ２０３から読み出される。
【００５５】
続いて、ジョブの印刷設定の内容が強制印刷設定の内容に変更される（ステップＳ２０４）。たとえば、ジョブが印刷ジョブである場合、プリンタドライバ側でユーザにより指定された印刷ジョブの印刷設定の内容が、強制印刷設定の内容に変更される。
【００５６】
続いて、印刷設定が保存される（ステップＳ２０５）。本実施形態では、後述する再印刷処理のために、ステップＳ２０４に示す処理で変更された印刷設定が、ジョブと対応付けて、ハードディスク２０４に保存される。
【００５７】
そして、画像データ生成処理が実行される（ステップＳ２０６）。本実施形態では、ステップＳ２０５に示す処理で保存された印刷設定（すなわち、強制印刷設定）にしたがって画像処理が行われ、印刷用の画像データが生成される。このとき、ページ単位の画像データのそれぞれに対して、後述する再印刷処理において利用される再印刷指示コード画像６１０（図１０（Ａ））が付加される。
【００５８】
図９は、図６のステップＳ２０６に示される画像データ生成処理の手順を示すフローチャートである。
【００５９】
画像データ生成処理では、まず、再印刷指示コード画像が生成される（ステップＳ４０１）。具体的には、ジョブＩＤおよびページＩＤ等の情報を含む再印刷指示コード画像のデータが生成される。
【００６０】
続いて、ジョブがコピージョブであるか否かが判断される（ステップＳ４０２）。本実施形態では、図６のステップＳ２０１に示す処理で受け付けられたジョブがコピージョブであるか印刷ジョブであるかが判断される。
【００６１】
ジョブがコピージョブであると判断される場合（ステップＳ４０２：ＹＥＳ）、ステップＳ４０４の処理に移行する。一方、ジョブがコピージョブでないと判断される場合（ステップＳ４０２：ＮＯ）、ジョブが印刷ジョブであるとして、ＰＤＬデータに対してラスタライズ処理が実行される（ステップＳ４０３）。ラスタライズ処理が実行されることにより、画像データが生成される。
【００６２】
続いて、印刷設定にしたがう画像処理が実行される（ステップＳ４０４）。本実施形態では、ステップＳ２０５に示す処理で保存された印刷設定にしたがう画像処理が、第２画像処理回路２０８により画像データに対して実行される。ここで、適用される印刷設定は、管理者により設定された強制印刷設定であり、たとえば、トナーセーブ設定が「ＯＮ」に設定されている場合、画素の間引き処理が実行される。
【００６３】
続いて、再印刷指示コード画像が付加される画像データの領域のノイズが除去される（ステップＳ４０５）。本実施形態では、後述する再印刷処理において、再印刷指示コード画像が正確に検出されるように、たとえば、用紙上に形成される画像の右上部分の画像が除去される。
【００６４】
続いて、再印刷指示コード画像が画像データに付加される（ステップＳ４０６）。本実施形態では、ステップＳ４０５に示す処理でノイズが除去された画像データの領域に、ステップＳ４０１に示す処理で生成された再印刷指示コード画像のデータが付加される。
【００６５】
そして、図６のステップＳ２０７に示す処理において印刷が行われ、処理が終了される。具体的には、プリントエンジン２０９から得られるステータス情報が印字許可状態であることが確認された後、ステップＳ２０６に示す処理で生成された画像データが、プリントエンジン２０９に転送される。そして、プリントエンジン２０９において、画像データに基づく画像が用紙上に形成される。
【００６６】
図１０（Ａ）は、強制印刷設定を適用して用紙上に形成された画像の一例を示す図である。強制印刷設定を適用して画像が形成された用紙６００ａの右上部には、後述する再印刷処理において利用される再印刷指示コード画像６１０が付加されている。再印刷指示コード６１０は、たとえば、ＱＲコード画像であり、目立たない色（たとえば、黄色）で形成され得る。再印刷指示コード画像６１０には、再印刷指示情報が含まれる。
【００６７】
図１１は、再印刷指示コード画像に含まれる再印刷指示情報の一例を示す図である。再印刷指示情報７００は、マシン情報７１０、ジョブ情報７２０、および印刷設定情報７３０を含む。マシン情報７１０は、ジョブを実行したＭＦＰを特定するための情報であり、印刷デバイスの名称情報、シリアル番号情報、ＩＰアドレス情報、およびＭａｃアドレス情報を含む。ジョブ情報７２０は、ジョブを特定するための情報であり、ジョブＩＤ、ページＩＤ、ファイル名情報、および日時情報を含む。印刷設定情報７３０は、ジョブの実行時に適用された印刷設定を示す情報であり、各設定項目の設定値情報を含む。なお、再印刷指示情報７００において、印刷設定情報７３０は省略され得る。
【００６８】
以上のとおり、図６に示されるフローチャートの処理によれば、管理者により登録された強制印刷設定を適用して用紙６００ａ上に画像が形成される。たとえば、トナーセーブ設定：「ＯＮ」にしたがって画像が形成される場合、用紙６００ａ上に形成される表やグラフが見にくいことがある。このような場合、ユーザは、再印刷されるべき画像が形成された用紙６００ａを画像読取部２０６に読み取らせることにより、異なる印刷条件でＭＦＰ２００Ａに画像を再印刷させることができる。以下、図１２〜図１４を参照して、再印刷処理について説明する。
【００６９】
図１２は、ＭＦＰにおいて実行される再印刷処理の手順を示すフローチャートである。なお、図１２のフローチャートにより示されるアルゴリズムは、ＭＦＰ２００Ａのハードディスク２０４にプログラムとして記憶されており、メインＣＰＵ２０１によって実行される。
【００７０】
再印刷処理では、まず、コピー設定の入力が受け付けられる（ステップＳ５０１）。たとえば、再印刷されるべき画像が形成されている用紙６００ａが画像読取部２０６にセットされ、用紙６００ａが検出される場合、コピー設定の入力が受け付けられる。
【００７１】
続いて、コピースタートキーが押下されたか否かが判断される（ステップＳ５０２）。スタートキーが押下されていないと判断される場合（ステップＳ５０２：ＮＯ）、スタートキーが押下されるまで待機する。一方、スタートキーが押下されたと判断される場合（ステップＳ５０２：ＹＥＳ）、原稿が読み取られる（ステップＳ５０３）。
【００７２】
続いて、再印刷指示コード画像６１０が検出されたか否かが判断される（ステップＳ５０４）。具体的には、画像読取部２０６により読み取られた画像の所定位置に再印刷コード画像６１０が認識されるか否かが判断される。
【００７３】
再印刷指示コード画像６１０が検出されないと判断される場合（ステップＳ５０４：ＮＯ）、現在の処理は再印刷処理ではなく通常のコピー処理であると判断され、ステップＳ５０９の処理に移行する。そして、ステップＳ５０９〜Ｓ５１４に示す処理が実行され、処理が終了される。なお、ステップＳ５０９〜Ｓ５１４に示す処理は、図６のステップＳ２０２〜Ｓ２０７に示す処理と同様であるため詳細な説明は省略する。
【００７４】
一方、ステップＳ５０４に示す処理において、再印刷指示コード画像６１０が検出されたと判断される場合（ステップＳ５０４：ＹＥＳ）、選択画面が表示される（ステップＳ５０５）。本実施形態では、操作パネル２０５のタッチパネルに、再印刷処理を実行するか、あるいは、コピー処理を実行するかについての選択をユーザに促す選択画面（不図示）が表示される。
【００７５】
そして、再印刷の指示があるか否かが判断される（ステップＳ５０６）。ステップＳ５０５に示す処理で表示される選択画面上で「再印刷」が選択され、画像を再印刷する旨の指示が受け付けられる場合、再印刷の指示があると判断される。
【００７６】
再印刷の指示がないと判断される場合（ステップＳ５０６：ＮＯ）、コピーの指示があるか否かが判断される（ステップＳ５０７）。ステップＳ５０５に示す処理で表示される選択画面上で「コピー」が選択される場合、コピーの指示があると判断される。
【００７７】
コピーの指示があると判断される場合（ステップＳ５０７：ＹＥＳ）、ステップＳ５０９の処理に移行する。そして、ステップＳ５０９〜Ｓ５１４に示す処理が実行され、処理が終了される。
【００７８】
一方、コピーの指示がないと判断される場合（ステップＳ５０７：ＮＯ）、所定時間経過したか否かが判断される（ステップＳ５０８）。所定時間経過していない場合（ステップＳ５０８：ＮＯ）、ステップＳ５０６の処理に戻る。一方、所定時間経過した場合（ステップＳ５０８：ＹＥＳ）、コピー処理を実行するとして、ステップＳ５０９〜Ｓ５１４に示す処理が実行され、処理が終了される。
【００７９】
一方、ステップＳ５０６に示す処理において、再印刷の指示があると判断される場合（ステップＳ５０６：ＹＥＳ）、図１３のステップＳ５１５以下に示す処理が実行される。
【００８０】
まず、原稿が自機で印刷されたものであるか否かが判断される（図１３のステップＳ５１５）。本実施形態では、再印刷指示コード画像６１０に含まれるマシン情報７１０に基づいて、ステップＳ５０３に示す処理で読み取られた画像が、ＭＦＰ２００Ａにより印刷された画像であるか、または、他のＭＦＰにより印刷された画像であるかが判断される。
【００８１】
原稿が自機で印刷されたものでないと判断される場合（ステップＳ５１５：ＮＯ）、図１４のステップＳ５２９の処理に移行する。一方、原稿が自機で印刷されたものであると判断される場合（ステップＳ５１５：ＹＥＳ）、保存ジョブ管理リストに対してジョブの有無が確認される（ステップＳ５１６）。具体的には、再印刷指示コード画像６１０に含まれるジョブＩＤおよびページＩＤと同一のジョブＩＤおよびページＩＤが、保存ジョブ管理リストにあるかどうか確認される。
【００８２】
そして、保存ジョブ管理リストにジョブがあるか否かが判断される（ステップＳ５１７）。本実施形態では、ジョブが保存されてから一定期間経過している場合には、保存ジョブ管理リストからジョブが削除されている。
【００８３】
保存ジョブ管理リストにジョブがないと判断される場合（ステップＳ５１７：ＮＯ）、ジョブが見つからなかった旨がユーザに通知され（ステップＳ５１８）、処理が終了される。たとえば、ジョブが見つからなかった旨を通知するメッセージが操作パネル２０５に表示される。
【００８４】
一方、保存ジョブ管理リストにジョブがあると判断される場合（ステップＳ５１７：ＹＥＳ）、ハードディスク２０４からジョブが検索される（ステップＳ５１９）。本実施形態では、再印刷指示コード画像６１０に含まれるジョブＩＤおよびページＩＤと同一のジョブＩＤおよびページＩＤが対応付けられているジョブが検索される。
【００８５】
続いて、印刷設定が読み出される（ステップＳ５２０）。本実施形態では、ステップＳ５１９に示す処理で検索されたジョブと対応付けてハードディスク２０４に記憶されている印刷設定（強制印刷設定）が読み出される。
【００８６】
そして、印刷設定が表示される（ステップＳ５２１）。本実施形態では、ステップＳ５２０に示す処理で読み出された印刷設定が、操作パネル２０５のタッチパネルに表示される。操作パネル２０５には、たとえば、図５に示される印刷設定選択画面４００が、ユーザによる印刷設定の変更を受け付け可能な状態で表示される。したがって、ユーザは、所望の印刷結果が得られるように、操作パネル２０５を通じて、印刷設定を変更することができる。たとえば、ユーザは、トナーセーブ設定を「ＯＮ」から「ＯＦＦ」、カラー選択設定を「モノクロ」から「カラー」に変更することができる。あるいは、ユーザは、ページ分割設定を「２ｉｎ１」から「ＯＦＦ」、印刷種類設定を「両面」から「片面」に変更することができる。
【００８７】
続いて、印刷設定が確定したか否かが判断される（ステップＳ５２２）。具体的には、ユーザによる印刷設定の変更や印刷部数の指定が受け付けられた後、印刷の実行が指示されたか否かが判断される。印刷設定が確定していないと判断される場合（ステップＳ５２２：ＮＯ）、所定時間経過したか否かが判断される（ステップＳ５２３）。所定時間経過していない場合（ステップＳ５２３：ＮＯ）、ステップＳ５２１の処理に戻る。一方、所定時間経過した場合（ステップＳ５２３：ＹＥＳ）、処理が終了される。その結果、たとえば、ステップＳ５０２の処理に戻る。
【００８８】
一方、ステップＳ５２２に示す処理において、印刷設定が確定したと判断される場合（ステップＳ５２２：ＹＥＳ）、ジョブ保存処理が実行される（ステップＳ５２４）。そして、確定した印刷設定がジョブと対応付けてハードディスク２０４に記憶される（ステップＳ５２５）。なお、ステップＳ５２４およびＳ５２５に示す処理は、図６のステップＳ２０２およびＳ２０５に示す処理とそれぞれ同様であるため、詳細な説明は省略する。
【００８９】
続いて、画像データ生成処理が実行される（ステップＳ５２６）。本実施形態では、ユーザにより変更された印刷設定にしたがって画像処理が行われ、印刷用の画像データが生成される。なお、ステップＳ５２６に示す処理は、図６のステップＳ２０６に示す処理と同様であるため、詳細な説明は省略する。
【００９０】
そして、印刷が行われる（ステップＳ５２７）。本実施形態では、ステップＳ５２５に示す処理で生成された画像データに基づく画像が用紙上に形成される。すなわち、ユーザにより変更された印刷設定を適用して画像が形成される。これにより、ユーザは、所望の印刷結果を得ることができる。
【００９１】
続いて、次の原稿があるか否かが判断される（ステップＳ５２８）。ＡＤＦに用紙が残っている場合、次の原稿があると判断される。次の原稿があると判断される場合（ステップＳ５２８：ＹＥＳ）、ステップＳ５０３の処理に戻る。一方、次の原稿がないと判断される場合（ステップＳ５２８：ＮＯ）、処理が終了される。
【００９２】
以上のとおり、ステップＳ５１５〜Ｓ５２８に示す処理によれば、再印刷されるべき画像が形成されている用紙が読み取られ、当該画像の印刷時に適用された印刷設定が読み出される。読み出された印刷設定は、ユーザによる変更を受け付け可能な状態で、操作パネル２０５に表示される。ユーザは、操作パネル２０５に表示される印刷設定を変更して、画像の再印刷を行うことができる。
【００９３】
なお、上述した実施形態では、再印刷されるべき画像に付加された再印刷指示コード画像６１０に基づいて、再印刷されるべき画像に対応するジョブおよび印刷設定が特定された。しかしながら、本実施形態とは異なり、再印刷指示コード画像６１０は省略されてもよい。この場合、たとえば、画像読取部２０６により読み取られた原稿の画像に対して画像処理が実行され、読み取り画像から対応するジョブおよび印刷設定が直接的に特定される。
【００９４】
また、上述した実施形態では、再印刷された画像についてもジョブと印刷設定とがハードディスク２０４に保存され、再印刷指示コード画像が付加された。しかしながら、再印刷処理では、これらの処理が省略されてもよく、単に、変更された印刷設定を適用して画像が形成されてもよい。
【００９５】
一方、図１３のステップＳ５１５に示す処理において、原稿が自機で印刷されたものでないと判断される場合（ステップＳ５１５：ＮＯ）、ネットワーク検索が行われ、原稿の印刷元であるＭＦＰがあるか否かが判断される（図１４のステップＳ５２９，Ｓ５３０）。本実施形態では、再印刷指示コード画像６１０に含まれるＩＰアドレスまたはＭａｃアドレスにより特定されるＭＦＰがネットワーク３００上で検索される。そして、該当するＭＦＰがネットワーク３００上にあるか否かが判断される。
【００９６】
ネットワーク３００上に印刷元であるＭＦＰがないと判断される場合（ステップＳ５３０：ＮＯ）、ジョブが見つからなかった旨がユーザに通知され（ステップＳ５３５）、処理が終了される。
【００９７】
一方、ネットワーク３００上に印刷元であるＭＦＰがあると判断される場合（ステップＳ５３０：ＹＥＳ）、印刷元のＭＦＰの保存ジョブ管理リストに対してジョブの有無が確認される（ステップＳ５３１）。
【００９８】
そして、保存ジョブ管理リストにジョブがあるか否かが判断される（ステップＳ５３２）。保存ジョブ管理リストにジョブがないと判断される場合（ステップＳ５３２：ＮＯ）、ジョブが見つからなかった旨がユーザに通知され（ステップＳ５３５）、処理が終了される。
【００９９】
一方、保存ジョブ管理リストにジョブがあると判断される場合（ステップＳ５３２：ＹＥＳ）、ジョブの送信が依頼される（ステップＳ５３３）。本実施形態では、ジョブを保存しているＭＦＰに対して、ＭＦＰ２００Ａへジョブを送信することが依頼される。ジョブの送信を依頼されたＭＦＰは、ＭＦＰ２００Ａへジョブを送信する。このとき、ジョブとともにジョブの実行時に適用された印刷設定（強制印刷設定）が送信される。
【０１００】
続いて、ジョブを受信したか否かが判断される（ステップＳ５３４）。たとえば、セキュリティ等の問題により、ジョブを受信できない場合（ステップＳ５３４：ＮＯ）、ジョブが見つからなかった旨がユーザに通知され（ステップＳ５３５）、処理が終了される。一方、ジョブを受信した場合（ステップＳ５３４：ＹＥＳ）、ジョブがＲＡＭ２０３に一時的に保存される（ステップＳ５３６）。
【０１０１】
続いて、印刷設定が読み出され、印刷設定が表示される（ステップＳ５３７，Ｓ５３８）。本実施形態では、ジョブとともに受信された印刷設定が、操作パネル２０５のタッチパネルに表示される。操作パネル２０５には、たとえば、図５に示される印刷設定選択画面４００が、ユーザによる印刷設定の変更を受け付け可能な状態で表示される。したがって、ユーザは、所望の印刷結果が得られるように、操作パネル２０５を通じて、印刷設定を変更することができる。
【０１０２】
続いて、印刷設定が確定したか否かが判断される（ステップＳ５３９）。印刷設定が確定していないと判断される場合（ステップＳ５３９：ＮＯ）、所定時間経過したか否かが判断される（ステップＳ５４０）。所定時間経過していない場合（ステップＳ５４０：ＮＯ）、ステップＳ５３９の処理に戻る。一方、所定時間経過した場合（ステップＳ５４０：ＹＥＳ）、処理が終了される。その結果、たとえば、ステップＳ５０２の処理に戻る。
【０１０３】
一方、ステップＳ５３９に示す処理において、印刷設定が確定したと判断される場合（ステップＳ５３９：ＹＥＳ）、ジョブ保存処理が実行される（ステップＳ５４１）。そして、確定した印刷設定がジョブと対応付けてハードディスク２０４に記憶される（ステップＳ５４２）。
【０１０４】
続いて、画像データ生成処理が実行され、印刷が行われる（ステップＳ５４３，Ｓ５４４）。その結果、ユーザは、所望の印刷結果を得ることができる。
【０１０５】
続いて、ＲＡＭ２０３に保存されているジョブが削除される（ステップＳ５４５）。本実施形態では、ステップＳ５３６に示す処理でＲＡＭ２０３に保存されたジョブが削除される。
【０１０６】
続いて、次の原稿があるか否かが判断される（ステップＳ５４６）。次の原稿があると判断される場合（ステップＳ５４６：ＹＥＳ）、ステップＳ５０３の処理に戻る。一方、次の原稿がないと判断される場合（ステップＳ５４６：ＮＯ）、処理が終了される。
【０１０７】
以上のとおり、ステップＳ５２９〜Ｓ５４６に示す処理によれば、再印刷されるべき画像のジョブと印刷設定とが印刷元のＭＦＰから取得される。取得された印刷設定は、ユーザによる変更を受け付け可能な状態で、操作パネル２０５に表示される。ユーザは、操作パネル２０５に表示される印刷設定を変更して、画像の再印刷を行うことができる。
【０１０８】
再び図１０を参照すれば、管理者により設定された強制印刷設定を適用して用紙６００ａ上に形成された画像では、表やグラフが見にくいことがある（図１０（Ａ）参照）。このような画像の再印刷をユーザが希望する場合、再印刷されるべき画像が形成されている用紙６００ａをＭＦＰ２００Ａに読み取らせると、再印刷されるべき画像の形成時に適用された強制印刷設定が、変更可能な状態で操作パネル２０５に表示される。ユーザは、操作パネル２０５を通じて、印刷設定を変更することにより、所望する印刷設定を適用して再印刷されるべき画像を新たな用紙６１０ｂ上に形成することができる。
【０１０９】
以上のとおり、本実施形態によれば、画像の再印刷を行う際、管理者により設定された強制印刷設定が解除され、設定変更可能な状態で操作パネル２０５に表示されるため、ユーザは、管理者に依頼して強制印刷設定を解除してもらう必要がなくなる。すなわち、強制印刷設定を適用して印刷された画像について、ユーザが容易に再印刷を行うことができる。その結果、ユーザは、ストレスを感じることなく、トナーや印刷用紙の消費量を削減するための印刷制限が施されている印刷環境に対応することができる。
【０１１０】
また、本実施形態によれば、再印刷されるべき画像が形成された用紙をＭＦＰ２００Ａの画像読取部２０６に読み取らせることにより、ページ単位で画像の再印刷を行うことができる。したがって、ユーザは、所望の印刷結果が得られなかった画像について、ページ単位で手軽に再印刷を行うことが可能になる。
【０１１１】
また、本実施形態では、再印刷されるべき画像に再印刷指示コード画像６１０が付加されるため、コード画像６１０に含まれる情報を利用して、ハードディスク２０４に保存されているジョブや印刷設定を素早く読み出すことが可能になる。
【０１１２】
最後に、ＭＦＰ２００Ａに保存されているジョブを定期的に削除する処理について説明する。
【０１１３】
図１５は、ＭＦＰにおいて実行されるジョブ削除処理の手順を示すフローチャートである。なお、図１５のフローチャートにより示されるアルゴリズムは、ＭＦＰ２００Ａのハードディスク２０４にプログラムとして記憶されており、メインＣＰＵ２０１によって実行される。
【０１１４】
ジョブ削除処理では、まず、所定のタイミングで日時が確認される（ステップＳ６０１）。本実施形態では、予め設定された時間間隔で現在の日時が確認される。
【０１１５】
続いて、保存ジョブ管理リストに含まれるジョブの保存日時が確認され（ステップＳ６０２）、保存後一定期間経過しているジョブがあるか否かが判断される（ステップＳ６０３）。
【０１１６】
保存後一定期間経過しているジョブがないと判断される場合（ステップＳ６０３：ＮＯ）、処理が終了される。一方、保存後一定期間経過しているジョブがあると判断される場合（ステップＳ６０３：ＹＥＳ）、保存後一定期間経過しているジョブがハードディスク２０４から削除される（ステップＳ６０４）。
【０１１７】
そして、保存ジョブ管理リストから、ジョブ情報が削除され（ステップＳ６０５）、処理が終了される。
【０１１８】
以上のとおり、図１５に示されるフローチャートの処理によれば、印刷処理においてハードディスク２０４に保存されたジョブが定期的に削除される。
【０１１９】
本発明は、上記実施形態のみに限定されるものではなく、特許請求の範囲内において、種々改変することができる。
【０１２０】
たとえば、上記実施形態では、印刷設定がジョブと対応付けてＭＦＰのハードディスク２０４に保存され、再印刷時に読み出されて操作パネル２０５に表示された。しかしながら、印刷設定は、ジョブと対応付けてハードディスク２０４に記憶されなくともよい。この場合、たとえば、再印刷処理時に、再印刷指示コード画像６１０に含まれる印刷設定情報７３０が取得され、操作パネル２０５に表示され得る。あるいは、画像形成システムの管理者により登録された強制印刷設定がＲＡＭ２０３から直接読み出され、操作パネル２０５に表示され得る。
【０１２１】
また、上記実施形態では、再印刷指示コード画像６１０に基づいて、再印刷処理において再印刷されるべき画像が特定され、対応する印刷設定が操作パネル２０５に表示された。しかしながら、再印刷されるべき画像を特定する方法は、これに限定されるものではない。たとえば、ユーザが、操作パネル２０５を用いて、再印刷されるべき画像を手作業で指定することにより、再印刷されるべき画像が特定されてもよい。
【０１２２】
また、上記実施形態では、画像形成システムの管理者によりＭＦＰ２００Ａに登録された強制印刷設定が適用され、印刷処理が行われた。しかしながら、印刷条件を制限する方法は、上記実施形態に限定されるものではなく、たとえば、印刷ジョブについては、プリンタドライバにおいて強制印刷設定を適用することも可能である。
【０１２３】
また、上記実施形態では、再印刷処理を実行する画像形成装置として、ＭＦＰを例に挙げて説明した。しかしながら、再印刷処理を実行する画像形成装置は、ＭＦＰに限定されるものではなく、たとえば、プリンタや複写機にも適用可能である。
【０１２４】
本実施形態にかかる画像形成装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、画像形成装置の一機能としてその装置のソフトウエアに組み込まれてもよい。
【符号の説明】
【０１２５】
１００Ａ，１００Ｂ  ＰＣ、
１０１  ＣＰＵ、
１０２，２０２  ＲＯＭ、
１０３，２０３  ＲＡＭ、
１０４，２０４  ハードディスク、
１０５  ディスプレイ、
１０６  入力装置、
１０７，２１０  通信インタフェース、
１０８，２１１  バス、
２００Ａ，２００Ｂ  ＭＦＰ、
２０１  メインＣＰＵ、
２０５  操作パネル、
２０６  画像読取部、
２０７  第１画像処理回路、
２０８  第２画像処理回路、
２０９  プリントエンジン、
３００  ネットワーク、
４００  印刷設定選択画面、
５００  ジョブ管理情報、
６００ａ，６００ｂ  用紙、
６１０  再印刷指示コード画像、
７００  再印刷指示情報。
【図１】
0005633207.tif 000002
【図２】
0005633207.tif 000003
【図３】
0005633207.tif 000004
【図４】
0005633207.tif 000005
【図５】
0005633207.tif 000006
【図６】
0005633207.tif 000007
【図７】
0005633207.tif 000008
【図８】
0005633207.tif 000009
【図９】
0005633207.tif 000010
【図１１】
0005633207.tif 000011
【図１２】
0005633207.tif 000012
【図１３】
0005633207.tif 000013
【図１４】
0005633207.tif 000014
【図１５】
0005633207.tif 000015
【図１０】
0005633207.tif 000016